(57)【特許請求の範囲】
【請求項１】
工場で生産され、建築現場に搬送されて、構造壁を構成するために、複数が同方向に並べて建て込まれる小型標準化されたパネルであって、
互いに所定間隔をおいて平行な少なくとも一対の縦枠と、これら縦枠の上端間を接続する上枠と、縦枠の下端間を接続する下枠と、前記上枠の一端部下面に結合される受け枠と、前記縦枠、上枠、下枠及び受け枠の結合体の一面に張り止められる矩形の合板とを具備し、
前記上枠及び下枠の他端側は、他端側に位置する前記縦枠から前記縦枠の所定間隔の１／２の長さ延出したつなぎ部を有し、
前記受け枠は、前記上枠の一端から前記所定間隔の１／２の長さ延出するように、上枠の一端側下面に結合され、
前記合板は、一端が前記受け枠の延出端に合致し、他端が他端側に位置する前記縦枠の端に合致するように結合され、
これによって、前記上枠及び下枠のつなぎ部が前記合板の他端側に延出するように構成され、
建て込み時に、相隣接する壁パネルのうちの一方の壁パネルの前記受け枠の上に他方の壁パネルの上枠のつなぎ部を載せて結合するようにしたことを特徴とする建築用壁パネル。
【請求項２】
前記縦枠が所定間隔をおいて２本設けられることを特徴とする請求項１に記載の建築用壁パネル。
【請求項３】
前記縦枠が所定間隔をおいて３本設けられることを特徴とする請求項１に記載の建築用壁パネル。
【請求項４】
前記縦枠の相互間隔が芯間で455mmであることを特徴とする請求項１乃至３の何れかに記載の建築用壁パネル。
【発明の詳細な説明】
【０００１】
【発明の属する技術分野】
この発明は、住宅等のツーバイフォー工法建築に用いられる標準化された小型の壁パネルに関する。
【０００２】
【従来の技術】
ツーバイフォー工法用の壁パネルは、縦枠、上下枠から成る枠組材と、構造用面材としての合板とを釘打ちにより結合して構成される。ツーバイフォー工法においては、従来から、工場で製作した複数の壁パネルを現場に搬送し、並べて建て込むことによって構造壁を構成することが行われている。この場合、壁パネルは、壁面に対して左右両端の縦枠同士を接合させて、複数が並べて建て込まれる。
【０００３】
【発明が解決しようとする課題】
上記従来の壁パネルの建て込み構造において、構造強度上は、重なった一方の縦枠は不要である。このような構造の壁パネルにおいて、都市部の狭い搬送路環境に配慮して、その幅寸法を小さく構成すると、単位構造壁あたりのパネル数が増える結果、縦枠の重なりが増え、著しい材料の無駄が生じることになる。
従って、この発明は、幅寸法を小さく構成しても材料の無駄が生じない小型の標準化された壁パネルを提供することを課題としている。
【０００４】
【課題を解決するための手段】
この発明においては、上記課題を解決するため、互いに所定間隔をおいて平行な少なくとも一対の縦枠２ａ，２ｂと、これら縦枠２ａ，２ｂの上端間を接続する上枠３と、縦枠２ａ，２ｂの下端間を接続する下枠４と、上枠３の一端部下面に結合される受け枠５と、縦枠２ａ，２ｂ、上枠３、下枠４及び受け枠５の結合体の一面に張り止められる矩形の合板６とを具備させて壁パネル１を構成する。そして、上枠３及び下枠４の他端側には、縦枠２ｂから、縦枠２ａ−２ｃ，２ｂ−２ｃ間の所定間隔ｄの１／２の長さ延出したつなぎ部３ａ，４ａを設ける。上枠３の一端から縦枠間所定間隔ｄの１／２の長さ延出するように、上枠３の一端側下面に受け枠５を結合し、合板６は、一端が受け枠５の延出端に合致し、他端が縦枠２ｂの端に合致するように結合する。これによって、上枠３及び下枠４のつなぎ部３ａ，４ａが、合板６の他端側に延出するように構成し、建て込み時に、相隣接する壁パネル１のうちの一方の壁パネル１の受け枠５の上に他方の壁パネル１の上枠３のつなぎ部３ａを載せて結合するようにしたため、左右の縦枠２ａ，２ｂ同士が重なることなく、規定間隔毎に縦枠２ａ，２ｂ，２ｃが配置されるので、構造強度上の問題なく、材料を節約することができる。
【０００５】
【発明の実施の形態】
図面を参照して本発明の実施の形態を説明する。図１は壁パネルの斜視図、図２は壁パネルの正面図、図３は壁パネルの施工状態の説明図、図４は他の壁パネルの正面図である。
【０００６】
ツーバイフォー工法用の壁パネル１は、縦枠２ａ，２ｂ，２ｃ、上下枠３，４及び受け枠５から成る枠組材と、構造用面材としての合板６とを釘打ちにより結合して構成される。
【０００７】
図１乃至図３の実施形態において、左右両端の縦枠２ａ，２ｂ及び中間の縦枠２ｃの３本の縦枠２ａ，２ｂ，２ｃは、互いに所定間隔ｄ（例えば、ツーバイフォー工法においける標準間隔である芯間455mm）をおいて平行に配置される。
【０００８】
上枠３は、縦枠の所定間隔ｄの３倍の長さ（例えば、1365mm）を有し、左右両端の縦枠２ａ，２ｂの芯から側方へ夫々縦枠の所定間隔ｄの１／２の長さ（例えば、227.5mm）ずつ延出するように配置され、縦枠２ａ，２ｂ，２ｃの上端間を接続して釘止めされる。
【０００９】
下枠４は、上枠３と同様の条件で、縦枠２ａ，２ｂ，２ｃの下端間を接続して釘止めされる。
【００１０】
受け枠５は、上枠３の一端側下面に釘打ち固定される。受け枠５は、一端側の縦枠２ａの芯から側方へ、縦枠の所定間隔ｄ（例えば455mm）の位置まで延出するように配置される。
【００１１】
矩形の合板６（例えば、幅455mm及び910mmの２枚の合板をはいで成る。）は、一端が受け枠５の延出端に合致し、他端が他端側の縦枠２ｂの端に合致するように枠組材に釘打ち固定される。
このように構成された壁パネル１においては、上枠３及び下枠４の他端側に、合板６の他端側から、縦枠２ｂの芯から側方へ縦枠の所定間隔ｄの１／２の長さ（例えば、227.5mm）延出したつなぎ部３ａ，４ａが形成される。
【００１２】
以上のように構成された複数の同一壁パネル１を同方向に並べて建て込む場合には、図３に示すように、相隣接する一方の壁パネル１の受け枠５の上に他方の壁パネル１の上枠３のつなぎ部３ａを載せると共に、一方の壁パネル１の下枠４の一端に他方の壁パネル１の下枠４のつなぎ部４ａ端突き合わせて、互いに釘打ち結合する。相隣接する２つの壁パネル１，１間は、頭つなぎ７で釘打ち接続される。相隣接する２つの壁パネル１，１は、左右の縦枠同士が重なることなく、規定間隔毎に縦枠２ａ，２ｂ，２ｃが配置されるので、構造強度上の問題なく、縦枠の重なりを省略して材料を節約することができ、また接続作業を効率的に行うことができる。
【００１３】
図４に示す他の実施形態の壁パネル１は、縦枠が両端の２本２ａ，２ｂで構成され、従って、縦枠の１間隔ｄ分だけ先の実施形態のものより全幅が狭く構成される外は先の実施形態のものと同一構成であるから、同一の符号を付して説明を省略する。
【００１４】
【発明の効果】
以上のように、本発明は、縦枠２ａ，２ｂと、それの上端間を接続する上枠３と、縦枠２ａ，２ｂの下端間を接続する下枠４と、上枠３の一端部下面に結合される受け枠５と、縦枠２ａ，２ｂ、上枠３、下枠４及び受け枠５の結合体の一面に張り止められる矩形の合板６とを具備させて壁パネル１を構成する。そして、上枠３及び下枠４の他端側には、縦枠２ｂから、縦枠間の所定間隔ｄの１／２の長さ延出したつなぎ部３ａ，４ａを設ける。上枠３の一端から所定間隔ｄの１／２の長さ延出するように、上枠３の一端側下面に受け枠５を結合し、合板６は、一端が受け枠５の延出端に合致し、他端が縦枠２ｂの端に合致するように結合する。これによって、上枠３及び下枠４のつなぎ部３ａ，４ａが、合板６の他端側に延出するように構成し、建て込み時に、相隣接する壁パネル１のうちの一方の壁パネル１の受け枠５の上に他方の壁パネル１の上枠３のつなぎ部３ａを載せて結合するようにしたため、相隣接する２つの壁パネル１，１は、左右の縦枠２ａ，２ｂ同士が重なることなく、規定間隔ｄ毎に縦枠２ａ，２ｂ，２ｃが配置されるので、構造強度上の問題なく、縦枠の重なりを省略して材料を節約することができ、また接続作業を効率的に行うことができる。工場で製作するパネルの幅を極力小さくして、狭隘な搬路での運搬を容易にしても、材料の無駄、作業の非効率化を招かない。
【図面の簡単な説明】
【図１】壁パネルの斜視図である。
【図２】壁パネルの正面図である。
【図３】壁パネルの施工状態の説明図である。
【図４】他の壁パネルの正面図である。
【符号の説明】
１    壁パネル
２ａ  縦枠
２ｂ  縦枠
２ｃ  縦枠
３    上枠
３ａ  つなぎ部
４    下枠
４ａ  つなぎ部
５    受け枠
ｄ    縦枠間の間隔
【図１】
0003936203.tif 000002
【図２】
0003936203.tif 000003
【図３】
0003936203.tif 000004
【図４】
0003936203.tif 000005